(57)【要約】【課題】観賞用植物を簡単な構造で容器内に配置できるとともに、水管理の手間を省くことができる観賞用植物鉢を提供する。【解決手段】観賞用植物１の根を包む培地２の周囲及び底部を吸水性の不織布３で覆った観賞用植物１が容器４に収容されたハイドロゲル層５中に配置されている観賞用植物鉢。培地が不織布で覆われた観賞用植物を容器内に配置された支持部に支持してハイドロゲル中に配置してもよい。【選択図】図１
0003137168.tif 000002
【実用新案登録請求の範囲】
【請求項１】
観賞用植物の根を包む培地の周囲及び底部を吸水性の不織布で覆った観賞用植物が容器に収容されたハイドロゲル層中に配置されていることを特徴とする観賞用植物鉢。
【請求項２】
前記容器内に、観賞用植物の根を包む培地の周囲及び底部を吸水性の不織布で覆った観賞用植物を支持する支持部が設けられていることを特徴とする請求項１記載の観賞用植物鉢。
【考案の詳細な説明】
【技術分野】
【０００１】
本考案は、観賞用植物を机や食卓の上に配置して観賞することができる観賞用植物鉢に関する。
【背景技術】
【０００２】
花や観葉植物などの観賞用植物を水を溜めた水盤などの容器内に置いて育成する給水鉢が知られている。
【０００３】
例えば、特許文献１には、植物の根圏の整理作用をよい環境にし、栽培管理が手軽にできるようにした二重包装自吸水鉢が開示されている。この二重包装自吸水鉢は、自吸水性と通気性のある不織布の下部に電磁波作用のあるセラミックを組み合わせて置き、植物の根の部分を包み、外側を通気孔のあるビニール等で包むものである。通気性と自吸水性をもった不織布で根を包み、自吸水力で水分を根の周囲に吸い上げ、活発に吸収させるとともに、酸素や栄養分を比例吸収させる。次に、外側の化粧的ビニールは美装インテリア鉢として、カラフルに観賞することができ、又通気孔から内部へ酸素を流入させ、外部からの光の入射を防ぐ。また、素焼きセラミックは、植物が倒れないように安定させるのと、電磁波の作用で根の活動を活発化させる。長期溶出肥料も、植物に常に栄養を必要限とされる濃度以下で供給しているから、栄養切れの心配はない。なお、水盤に常に水を溜めて育成するので、水切れの心配もなく水盤の水が不足しても、一目で分かるので安全管理ができるというものである。
【特許文献１】実開平０６−０２３４３６号公報
【考案の開示】
【考案が解決しようとする課題】
【０００４】
前記特許文献１に記載された二重包装自吸水鉢は、不織布の下部にセラミックを配置し、さらに不織布の外側を通気孔のあるビニールで包む構造となっているため、不織布、電磁波作用のあるセラミック、外側の通気孔のあるビニールを準備する必要があり、また、不織布内の下部に植物が倒れないようにセラミックを配置しなければならず、さらにビニールで包むので、製作作業に手間がかかる。
【０００５】
そこで、本発明は、観賞用植物を簡単な構造で容器内に配置できるとともに、水管理の手間を省くことができる観賞用植物鉢を提供するものである。
【課題を解決するための手段】
【０００６】
本考案の観賞用植物鉢は、観賞用植物の根を包む培地の周囲及び底部を吸水性の不織布で覆った観賞用植物が容器に収容されたハイドロゲル層中に配置されていることを特徴とする。
【０００７】
培地は、特に限定されるものではないが、不織布から通り抜ける微粒子を含む培地は、通り抜けた微粒子により容器内が汚れるおそれがあるので、微粒子を含まない人工培地、例えば、オアシスなどの吸水性スポンジなどが適している。人工培地は市販されているものから、適宜選択することができる。
【０００８】
不織布は、吸水性に優れた厚手の不織布が適している。不織布は、上部が開放された袋状にして観賞用植物の根を包んだ培地を入れたり、あるいは培地を不織布で巻いたりして覆う。
【０００９】
ハイドロゲルは、水を吸収してゲル中に蓄積し、吸水した水を徐々に放出して植物に長期間、水を供給することが可能である。ハイドロゲルは、市販されているハイドロゲルを使用することができる。ハイドロゲル層は、植物を安定して保持できるように、例えば、球状、ファイバー状などの形状のもので層状に形成する。なお、観賞用植物が切り花の場合や水要求量が多い場合は、容器内にハイドロゲルとともに適量の水を入れて水管理することもできる。
【００１０】
本考案の観賞用植物鉢に使用する容器は、机、食卓などの上に置いて観賞する小さいものの場合には、コーヒーカップやグラスなどの身の回りにある小型の容器を使用することができる。
【００１１】
培地を不織布で覆った観賞用植物は、カップ、コップなどの容器に収納されたハイドロゲル層中にそのまま埋めることにより配置できる。なお、観賞用植物の大きさや形状から不安定で倒れるおそれがある場合には、容器内に、観賞用植物の根を包む培地の周囲及び底部を吸水性の不織布で覆った観賞用植物を支持する支持部を配置してもよい。支持部は、例えば、容器の形状や観賞用植物の配置から、容器の縁の一箇所あるいは複数箇所で掛けることができるフックを備えた支持具に不織布で培地を覆った観賞用植物を支持してハイドロゲル中に配置してもよい。また、支持具を容器に接着したり、あるいは容器と一体に形成したりしてもよい。
【００１２】
観賞用植物は、四季、好み、部屋の雰囲気などに応じて花、鑑葉植物、小型の苗、あるいは切り花などのうちから適宜選択することができる。
【考案の効果】
【００１３】
本考案の植物育成鉢は、次の効果を奏する。
【００１４】
（１）培地を上下でその種類を変えることなく、通常使用されている培地をそのまま不織布で包むか、あるいは不織布製袋に入れるだけなので、作業も簡単に行うことができる。
【００１５】
（２）給水源としてハイドロゲルを使用しているので、水やりは、その回数が少なくてすみ手間を省くことができ、水管理の煩わしさがなくなる。
【００１６】
（３）根の部分を根が通らない不織布で包んでいるので、根が不織布の外へ出ることがないので、ハイドロゲルを汚すことがなく、また見映えもよい。
【００１７】
（４）植物を四季や好みに応じて変えて机、食卓などの家具の上に置くことができるので、インテリアとしても使用できる。
【００１８】
（５）容器内に観賞用植物を支持する支持部を必要に応じて設けることにより、植物が倒れることなく安定させることができる。
【考案を実施するための最良の形態】
【００１９】
本考案による観賞用植物鉢の実施例について図面を用いて説明する。
【実施例１】
【００２０】
図１は本考案による観賞用植物の根を包む培地を吸水性の不織布で覆った観賞用植物を示す図である。図２は図１に示す観賞用植物を容器に収納されたハイドロゲル層の中に配置した状態を示す斜視図である。
【００２１】
図１において、観賞用植物１の根は、培地２に包まれる。例えば、人工培地であるオアシスによって包まれている。
【００２２】
観賞用植物１の根を包んだ培地２は、吸水性のある不織布３によって覆われる。不織布３は、観賞用植物１の根が伸びて飛び出してくるのを防ぐため、培地２の周囲だけでなく底部を覆う。
【００２３】
図２において、培地２が不織布３で覆われた観賞用植物１を、容器４に収容された層状のハイドロゲル層５に埋めて配置するか、あるいは培地２が不織布３で覆われた観賞用植物１を容器４に入れた後、回りに球状のハイドロゲル５を層状に入れて配置する。
【実施例２】
【００２４】
図３は観賞用植物を容器内に設けた支持部で支持してハイドロゲル層の中に配置した状態を示す図である。
【００２５】
支持具６は、培地２が不織布３で覆われた観賞用植物１が収納されて支持する支持部７と、支持部７の上部に容器４の縁に掛けるフック８を有する。
【００２６】
支持具６の支持部７に培地２を不織布３で覆った観賞用植物１を収納して支持した後、支持具６のフック８を容器４の縁に掛けた後、回りにハイドロゲル層５を形成する。
【図面の簡単な説明】
【００２７】
【図１】本考案による観賞用植物の根を包む培地を吸水性の不織布で覆った観賞用植物を示す図である。
【図２】図１に示す観賞用植物を容器に収納されたハイドロゲルの中に配置した状態を示す斜視図である。
【図３】観賞用植物を容器内に設けた支持部で支持してハイドロゲル層の中に配置した状態を示す図である。
【符号の説明】
【００２８】
１：観賞用植物      ２：培地
３：不織布          ４：容器
５：ハイドロゲル層  ６：支持具
７：支持部          ８：フック
【図１】
0003137168.tif 000003
【図２】
0003137168.tif 000004
【図３】
0003137168.tif 000005